(57)【特許請求の範囲】
【請求項１】
第１番組が予定通りに放送されたときの放送スケジュールを示す通常放送スケジュール情報を記憶すると共に、前記第１番組の放送時間帯が変更になった場合の放送スケジュールを示す変更時放送スケジュール情報を記憶する放送スケジュール記憶手段と、
前記通常放送スケジュール情報に基づいて通常放送スケジュールをディスプレイに表示させると共に、前記変更時放送スケジュール情報に基づいて変更時放送スケジュールを前記ディスプレイに表示させる表示画面生成手段と、
を備え、
前記通常放送スケジュール及び前記変更時放送スケジュールは、いずれも、当該放送スケジュールに含まれる番組別に、複数の入力されるべき詳細情報を有しており、
複数の担当者又は部署が入力した前記詳細情報を受信し、前記放送スケジュール記憶手段に記憶させる詳細情報登録手段をさらに備え、
前記通常放送スケジュール情報及び前記変更時放送スケジュール情報は、いずれも、番組別に、入力すべき前記詳細情報の有無を担当者別又は部署別に示す入力要否情報を含んでおり、
前記表示画面生成手段は、前記通常放送スケジュール及び前記変更時放送スケジュールそれぞれにおいて、前記入力要否情報を認識可能な形態で表示させる情報処理装置。
【請求項２】
第１番組が予定通りに放送されたときの放送スケジュールを示す通常放送スケジュール情報を記憶すると共に、前記第１番組の放送時間帯が変更になった場合の放送スケジュールを示す変更時放送スケジュール情報を記憶する放送スケジュール記憶手段と、
前記通常放送スケジュール情報に基づいて通常放送スケジュールをディスプレイに表示させると共に、前記変更時放送スケジュール情報に基づいて変更時放送スケジュールを前記ディスプレイに表示させる表示画面生成手段と、
を備え、
前記通常放送スケジュール及び前記変更時放送スケジュールは、いずれも、当該放送スケジュールに含まれる番組別に、複数の入力されるべき詳細情報を有しており、
複数の担当者又は部署が入力した前記詳細情報を受信し、前記放送スケジュール記憶手段に記憶させる詳細情報登録手段をさらに備え、
前記ディスプレイには、カーソルが表示されており、
前記カーソルの移動情報に基づいて、前記通常放送スケジュールから前記変更時放送スケジュールへ遷移するタイミング、及び前記変更時放送スケジュールから前記通常放送スケジュールに戻るタイミングそれぞれを登録する詳細情報登録手段を備える情報処理装置。
【請求項３】
請求項１に記載の情報処理装置において、
前記表示画面生成手段は、
前記入力要否情報を選択可能な状態で表示し、
前記入力要否情報が選択されたときに、前記入力すべき詳細情報の入力画面を前記ディスプレイに表示させる情報処理装置。
【請求項４】
請求項１〜３のいずれか一項に記載の情報処理装置において、
前記通常放送スケジュール及び前記変更時放送スケジュールは、同一の番組を共通で含んでおり、
前記通常放送スケジュール情報及び前記変更時放送スケジュール情報の一方において前記同一の番組の前記詳細情報が入力された場合に、他方にも、前記同一の番組の前記詳細情報を登録する詳細情報登録手段を備える情報処理装置。
【請求項５】
コンピュータが、
第１番組が予定通りに放送されたときの放送スケジュールを示す通常放送スケジュール情報を記憶すると共に、前記第１番組の放送時間帯が変更になった場合の放送スケジュールを示す変更時放送スケジュール情報を記憶し、
前記通常放送スケジュール情報に基づいて通常放送スケジュールをディスプレイに表示させると共に、前記変更時放送スケジュール情報に基づいて変更時放送スケジュールを前記ディスプレイに表示させ、
前記通常放送スケジュール及び前記変更時放送スケジュールは、いずれも、当該放送スケジュールに含まれる番組別に、複数の入力されるべき詳細情報を有しており、
前記コンピュータは、さらに、複数の担当者又は部署が入力した前記詳細情報を受信して記憶し、
前記通常放送スケジュール情報及び前記変更時放送スケジュール情報は、いずれも、番組別に、入力すべき前記詳細情報の有無を担当者別又は部署別に示す入力要否情報を含んでおり、
前記コンピュータは、前記通常放送スケジュール及び前記変更時放送スケジュールそれぞれにおいて、前記入力要否情報を認識可能な形態で表示させる情報処理方法。
【請求項６】
コンピュータが、
第１番組が予定通りに放送されたときの放送スケジュールを示す通常放送スケジュール情報を記憶すると共に、前記第１番組の放送時間帯が変更になった場合の放送スケジュールを示す変更時放送スケジュール情報を記憶し、
前記通常放送スケジュール情報に基づいて通常放送スケジュールをディスプレイに表示させると共に、前記変更時放送スケジュール情報に基づいて変更時放送スケジュールを前記ディスプレイに表示させ、
前記通常放送スケジュール及び前記変更時放送スケジュールは、いずれも、当該放送スケジュールに含まれる番組別に、複数の入力されるべき詳細情報を有しており、
前記コンピュータは、さらに、複数の担当者又は部署が入力した前記詳細情報を受信して記憶し、
前記ディスプレイには、カーソルが表示されており、
前記コンピュータは、前記カーソルの移動情報に基づいて、前記通常放送スケジュールから前記変更時放送スケジュールへ遷移するタイミング、及び前記変更時放送スケジュールから前記通常放送スケジュールに戻るタイミングそれぞれを登録する情報処理方法。
【請求項７】
コンピュータに、
第１番組が予定通りに放送されたときの放送スケジュールを示す通常放送スケジュール情報を記憶すると共に、前記第１番組の放送時間帯が変更になった場合の放送スケジュールを示す変更時放送スケジュール情報を記憶する機能と、
前記通常放送スケジュール情報に基づいて通常放送スケジュールをディスプレイに表示させると共に、前記変更時放送スケジュール情報に基づいて変更時放送スケジュールを前記ディスプレイに表示させる機能と、
を実現させ、
前記通常放送スケジュール及び前記変更時放送スケジュールは、いずれも、当該放送スケジュールに含まれる番組別に、複数の入力されるべき詳細情報を有しており、
さらに前記コンピュータに、複数の担当者又は部署が入力した前記詳細情報を受信して記憶する機能を実現させ、
前記通常放送スケジュール情報及び前記変更時放送スケジュール情報は、いずれも、番組別に、入力すべき前記詳細情報の有無を担当者別又は部署別に示す入力要否情報を含んでおり、
さらに前記コンピュータに、前記通常放送スケジュール及び前記変更時放送スケジュールそれぞれにおいて、前記入力要否情報を認識可能な形態で表示させる機能を実現させるプログラム。
【請求項８】
コンピュータに、
第１番組が予定通りに放送されたときの放送スケジュールを示す通常放送スケジュール情報を記憶すると共に、前記第１番組の放送時間帯が変更になった場合の放送スケジュールを示す変更時放送スケジュール情報を記憶する機能と、
前記通常放送スケジュール情報に基づいて通常放送スケジュールをディスプレイに表示させると共に、前記変更時放送スケジュール情報に基づいて変更時放送スケジュールを前記ディスプレイに表示させる機能と、
を実現させ、
前記通常放送スケジュール及び前記変更時放送スケジュールは、いずれも、当該放送スケジュールに含まれる番組別に、複数の入力されるべき詳細情報を有しており、
さらに前記コンピュータに、複数の担当者又は部署が入力した前記詳細情報を受信して記憶する機能を実現させ、
前記ディスプレイには、カーソルが表示されており、
さらに前記コンピュータに、前記カーソルの移動情報に基づいて、前記通常放送スケジュールから前記変更時放送スケジュールへ遷移するタイミング、及び前記変更時放送スケジュールから前記通常放送スケジュールに戻るタイミングそれぞれを登録する機能を実現させるプログラム。
【発明の詳細な説明】
【技術分野】
【０００１】
本発明は、放送スケジュールを管理する情報処理装置、情報処理方法、及びプログラムに関する。
【背景技術】
【０００２】
テレビ番組やラジオ番組などを放送するときには、放送スケジュールを予め組んでおく必要がある。一方、放送スケジュールは変更されることがある。例えば特許文献１には、放送スケジュールが変更されたときに、電子番組案内を変更して端末に送信することが記載されている。
【先行技術文献】
【特許文献】
【０００３】
【特許文献１】特開２０１１−３００４５号公報
【発明の概要】
【発明が解決しようとする課題】
【０００４】
例えばスポーツ番組を中継放送するとき、放送直前、又は放送中に、放送スケジュールが変更されることがある。このような場合を想定して、番組編成を行う部署は、複数の放送スケジュールを予め組んでおく。しかし、番組の編成を完了するためには、番組編成を行う部署のほかに、例えば放送される広告を登録する部署が作業を行う必要がある。このため、番組の編成を完了するためには、複数の部署で入力される情報を統合する必要がある。複数の放送スケジュールそれぞれにおいて、複数の部署で入力される情報を正確に統合することは、労力を要していた。
【０００５】
本発明の目的は、複数の放送スケジュールそれぞれにおいて、複数の部署で入力される情報を正確に統合することができる情報処理装置、情報処理方法、及びプログラムを提供することにある。
【課題を解決するための手段】
【０００６】
本発明によれば、第１番組が予定通りに放送されたときの放送スケジュールを示す通常放送スケジュール情報を記憶すると共に、前記第１番組の放送時間帯が変更になった場合の放送スケジュールを示す変更時放送スケジュール情報を記憶する放送スケジュール記憶手段と、
前記通常放送スケジュール情報に基づいて通常放送スケジュールをディスプレイに表示させると共に、前記変更時放送スケジュール情報に基づいて変更時放送スケジュールを前記ディスプレイに表示させる表示画面生成手段と、
を備え、
前記通常放送スケジュール及び前記変更時放送スケジュールは、いずれも、当該放送スケジュールに含まれる番組別に、複数の入力されるべき詳細情報を有しており、
複数の担当者又は部署が入力した前記詳細情報を受信し、前記放送スケジュール記憶手段に記憶させる詳細情報登録手段をさらに備え、
前記通常放送スケジュール情報及び前記変更時放送スケジュール情報は、いずれも、番組別に、入力すべき前記詳細情報の有無を担当者別又は部署別に示す入力要否情報を含んでおり、
前記表示画面生成手段は、前記通常放送スケジュール及び前記変更時放送スケジュールそれぞれにおいて、前記入力要否情報を認識可能な形態で表示させる情報処理装置が提供される。
【０００７】
本発明によれば、コンピュータが、
第１番組が予定通りに放送されたときの放送スケジュールを示す通常放送スケジュール情報を記憶すると共に、前記第１番組の放送時間帯が変更になった場合の放送スケジュールを示す変更時放送スケジュール情報を記憶し、
前記通常放送スケジュール情報に基づいて通常放送スケジュールをディスプレイに表示させると共に、前記変更時放送スケジュール情報に基づいて変更時放送スケジュールを前記ディスプレイに表示させ、
前記通常放送スケジュール及び前記変更時放送スケジュールは、いずれも、当該放送スケジュールに含まれる番組別に、複数の入力されるべき詳細情報を有しており、
前記コンピュータは、さらに、複数の担当者又は部署が入力した前記詳細情報を受信して記憶し、
前記通常放送スケジュール情報及び前記変更時放送スケジュール情報は、いずれも、番組別に、入力すべき前記詳細情報の有無を担当者別又は部署別に示す入力要否情報を含んでおり、
前記コンピュータは、前記通常放送スケジュール及び前記変更時放送スケジュールそれぞれにおいて、前記入力要否情報を認識可能な形態で表示させる情報処理方法が提供される。
【０００８】
本発明によれば、コンピュータに、
第１番組が予定通りに放送されたときの放送スケジュールを示す通常放送スケジュール情報を記憶すると共に、前記第１番組の放送時間帯が変更になった場合の放送スケジュールを示す変更時放送スケジュール情報を記憶する機能と、
前記通常放送スケジュール情報に基づいて通常放送スケジュールをディスプレイに表示させると共に、前記変更時放送スケジュール情報に基づいて変更時放送スケジュールを前記ディスプレイに表示させる機能と、
を実現させ、
前記通常放送スケジュール及び前記変更時放送スケジュールは、いずれも、当該放送スケジュールに含まれる番組別に、複数の入力されるべき詳細情報を有しており、
さらに前記コンピュータに、複数の担当者又は部署が入力した前記詳細情報を受信して記憶する機能を実現させ、
前記通常放送スケジュール情報及び前記変更時放送スケジュール情報は、いずれも、番組別に、入力すべき前記詳細情報の有無を担当者別又は部署別に示す入力要否情報を含んでおり、
さらに前記コンピュータに、前記通常放送スケジュール及び前記変更時放送スケジュールそれぞれにおいて、前記入力要否情報を認識可能な形態で表示させる機能を実現させるプログラムが提供される。
【発明の効果】
【０００９】
本発明によれば、複数の放送スケジュールそれぞれにおいて、複数の部署で入力される情報を高い精度で統合することができる。
【図面の簡単な説明】
【００１０】
【図１】第１の実施形態に係る情報処理装置の機能構成を示す図である。
【図２】放送スケジュール記憶部が記憶している通常放送スケジュール及び変更時放送スケジュールを、ディスプレイに表示される形式で示す図である。
【図３】情報処理装置を用いた処理を説明するためのフローチャートである。
【図４】第２の実施形態において、通常放送スケジュール及び変更時放送スケジュールの表示するための画面データを、ディスプレイでの表示画面の形で示す図である。
【図５】選択ボタンが選択されたときに端末に表示される入力画面の一例を示している。
【図６】選択ボタンが選択されたときに端末に表示される入力画面の一例を示している。
【図７】選択ボタンが選択されたときに端末に表示される入力画面の一例を示している。
【図８】情報処理装置の動作を説明するフローチャートである。
【図９】第３の実施形態に係る詳細情報登録部が有する機能を説明するための図である。
【発明を実施するための形態】
【００１１】
以下、本発明の実施の形態について、図面を用いて説明する。尚、すべての図面において、同様な構成要素には同様の符号を付し、適宜説明を省略する。
【００１２】
なお、以下に示す説明において、各装置の各構成要素は、ハードウエア単位の構成ではなく、機能単位のブロックを示している。各装置の各構成要素は、任意のコンピュータのＣＰＵ、メモリ、メモリにロードされた本図の構成要素を実現するプログラム、そのプログラムを格納するハードディスクなどの記憶メディア、ネットワーク接続用インタフェースを中心にハードウエアとソフトウエアの任意の組合せによって実現される。そして、その実現方法、装置には様々な変形例がある。
【００１３】
（第１の実施形態）
図１は、第１の実施形態に係る情報処理装置１００の機能構成を示す図である。情報処理装置１００は、放送スケジュール記憶部１１０、表示画面生成部１２０、及び詳細情報登録部１３０を備えている。放送スケジュール記憶部１１０は、通常放送スケジュール情報及び変更時放送スケジュール情報を記憶している。通常放送スケジュールは、第１番組が予定通りに放送されたときの放送スケジュールを示している。変更時放送スケジュールは、第１番組の放送時間帯が変更になった場合の放送スケジュールを示している。通常放送スケジュール及び変更時放送スケジュールは、一般的に、放送スケジュールの階段編成と呼ばれている。表示画面生成部１２０は、通常放送スケジュール情報に基づいて通常放送スケジュールをディスプレイに表示させると共に、変更時放送スケジュール情報に基づいて変更時放送スケジュールを同一のディスプレイに表示させる。ディスプレイは、例えば放送スケジュールの編成担当者の端末、及び他の部署の担当者の端末のいずれかが有している。通常放送スケジュール及び変更時放送スケジュールは、いずれも、当該放送スケジュールに含まれる番組別に、複数の入力されるべき詳細情報を有している。そして詳細情報登録部１３０は、複数の担当者から入力された詳細情報を受信し、放送スケジュール記憶部１１０に記憶させる。
【００１４】
情報処理装置１００の表示画面生成部１２０は、各部署の担当者の端末に、放送スケジュール記憶部１１０が記憶している通常放送スケジュール及び変更時放送スケジュールを表示させる。このため、各部署の担当者は、放送スケジュール記憶部１１０が記憶している放送スケジュール情報をベースに、詳細情報の入力を行うことができる。そして入力された詳細情報は、放送スケジュール記憶部１１０に記憶される。従って、複数の放送スケジュールそれぞれにおいて、複数の部署で入力される情報を正確に統合することができる。以下、詳細に説明する。
【００１５】
図２は、放送スケジュール記憶部１１０が記憶している通常放送スケジュール及び変更時放送スケジュールを、ディスプレイに表示される形式で示す図である。本図において、番組Ａが、第１番組に相当する。番組Ａは、例えばスポーツの試合を生中継する番組である。この試合が屋外で行われる場合、雨天などの天候不良時には、試合が中止になることがある。試合が中止される可能性がある場合、これに対応した変更時放送スケジュールを準備する必要がある（本図における変更時１）。また、試合時間が短縮されることや延長されることもある。試合時間が変更される可能性がある場合その変更の長さに応じた変更時放送スケジュールを少なくとも一つ準備する必要がある（本図における変更時２〜６）。
【００１６】
一方、放送スケジュール情報を確定させるためには、上記したように、複数の部署それぞれの担当者が、番組別に詳細情報を入力する必要がある。各担当者は、図２に示した表示を見ることにより、どこに何を入力すればよいかを認識することができる。
【００１７】
図３は、情報処理装置１００を用いた処理を説明するためのフローチャートである。まず編成責任者は、自分の端末を用いて、放送スケジュールを作成する（ステップＳ１０）。この放送スケジュールには、通常放送スケジュール及び変更時放送スケジュールが含まれている。そして編成責任者は、通常放送スケジュール及び変更時放送スケジュールの作成が完了すると、通常放送スケジュール情報及び変更時放送スケジュール情報を、情報処理装置１００に送信する（ステップＳ２０）。
【００１８】
情報処理装置１００の放送スケジュール記憶部１１０は、編成責任者の端末から送信されてきた通常放送スケジュール情報及び変更時放送スケジュール情報を記憶する（ステップＳ３０）。
【００１９】
そして各部署の担当者は、自分の端末を用いて、情報処理装置１００に放送スケジュールを要求する（ステップＳ４０）。情報処理装置１００の表示画面生成部１２０は、担当者の端末から放送スケジュールが要求されると、放送スケジュール記憶部１１０から通常放送スケジュール情報及び変更時放送スケジュール情報を読み出す。そして表示画面生成部１２０は、読み出した情報を用いて、通常放送スケジュール及び変更時放送スケジュールを同時に並べて表示するための画面データを生成する（ステップＳ５０）。次いで、表示画面生成部１２０は、生成した画面データを担当者の端末に送信する（ステップＳ６０）。
【００２０】
担当者の端末は、情報処理装置１００から画面データを受信すると、受信した画面データに従って画面を表示する（ステップＳ６５）。この画面は、例えば図２に示した通りである。そして担当者は、ステップＳ６５で表示された内容を確認した上で、番組別に、詳細情報を端末に入力する（ステップＳ７０）。そして担当者が詳細情報の入力が終了すると、担当者の端末は、入力された詳細情報を、番組識別情報、及び放送スケジュールの識別情報に対応付けて情報処理装置１００に送信する（ステップＳ８０）。
【００２１】
情報処理装置１００の詳細情報登録部１３０は、担当者の端末から詳細情報、番組識別情報、及び放送スケジュールの識別情報が送信されてくると、受信した詳細情報を、ステップＳ５０で読み出した通常放送スケジュール情報及び変更時放送スケジュール情報のうち、受信した放送スケジュールの識別情報に対応する放送スケジュール情報に対応付けて、放送スケジュール記憶部１１０に記憶させる（ステップＳ９０）。
【００２２】
なお、ステップＳ４０〜ステップＳ９０に示した処理は、複数の部署それぞれの担当者によって行われる。
【００２３】
以上、本実施形態によれば、各部署の担当者の端末には、放送スケジュール記憶部１１０から読み出された放送スケジュールが送信される。従って、各担当者は、放送スケジュール記憶部１１０が記憶している放送スケジュール情報をベースに、詳細情報の入力を行うことができる。そして入力された詳細情報は、担当者の端末に送信された放送スケジュールに対応付けて放送スケジュール記憶部１１０に記憶される。従って、複数の放送スケジュールそれぞれにおいて、複数の部署で入力される情報を高い精度で統合することができる。
【００２４】
（第２の実施形態）
本実施形態に係る情報処理装置１００は、以下の点を除いて、第１の実施形態に係る情報処理装置１００と同様の構成である。
【００２５】
まず、通常放送スケジュール及び変更時放送スケジュールの表示するための画面データが、第１の実施形態とは異なっている。また、表示画面生成部１２０は、詳細情報を入力するため入力画面を表示させるための画面データを生成し、この画面データも各部署の担当者の端末に送信する。
【００２６】
図４は、通常放送スケジュール及び変更時放送スケジュールの表示するための画面データを、ディスプレイでの表示画面の形で示す図である。本図に示すように、この表示画面には、選択ボタン２０２，２０４，２０６を有している。放送スケジュール記憶部１１０が記憶している通常放送スケジュール情報及び前記変更時放送スケジュール情報は、いずれも、番組別に、入力要否情報を含んでいる。入力要否情報は、入力すべき前記詳細情報の有無を担当者別に示している。選択ボタン２０２，２０４，２０６は、この入力要否情報を認識可能かつ選択可能な形態で表示させたものである。
【００２７】
これら選択ボタンは、担当者別に設けられている。図４の示す例では、詳細情報は、最大で３部門の担当者それぞれによって入力される。ただし、番組によっては、詳細情報の入力が要求されない部門もある。このような番組には、１つ又は２つの選択ボタンが表示されている。
【００２８】
担当者の端末において、選択ボタン２０２，２０４，２０６のいずれかがカーソル等で選択されると、選択された選択ボタンに対応する入力画面が端末に表示される。この入力画面を表示するための画面データは、情報処理装置１００の表示画面生成部１２０によって生成される。
【００２９】
図５は、選択ボタン２０２が選択されたときに端末に表示される入力画面の一例を示している。この入力画面は、編成部の担当者が詳細情報を入力するための画面である。この画面で入力される詳細情報は、放送日、放送時刻、発局、プロ区分、素材、番組名、及びＥＰＧ（Electronic Program Guide）で用いられる情報を含んでいる。
【００３０】
図６は、選択ボタン２０４が選択されたときに端末に表示される入力画面の一例を示している。この入力画面は、業務部、すなわち広告の割り振りを担当する部門の担当者が詳細情報を入力するための画面である。この画面で入力される詳細情報は、割り振られた広告の秒数、及び割り振られた枠の名称などが含まれている。
【００３１】
図７は、選択ボタン２０６が選択されたときに端末に表示される入力画面の一例を示している。この入力画面は、放送部、すなわち放送を管理する部門の担当者が詳細情報を入力するための画面である。この画面で入力される詳細情報は、キューシートデータなどが含まれている。
【００３２】
図８は、本実施形態に係る情報処理装置１００の動作を説明するフローチャートである。本図に示す処理のうち、ステップＳ１０〜ステップＳ６５までの処理は、第１の実施形態と同様であるため、説明を省略する。ただし、ステップＳ６５において、担当者の端末には、図４に示した画面が表示される。そしてこの画面において、選択ボタン２０２，２０４，２０６は、選択可能に表示されている。
【００３３】
そして担当者は、カーソル等を用いて、選択ボタン２０２，２０４，２０６のうち自分が選択すべきボタンを選択する（ステップＳ７１）。すると、担当者の端末は、選択されたボタンの種類を示す情報、選択されたボタンが配置されている放送スケジュールの識別情報、及び選択されたボタンが配置されている番組の番組識別情報を、情報処理装置１００に送信する。これらの情報は、入力画面を要求する情報に該当する（ステップＳ７２）。
【００３４】
情報処理装置１００の表示画面生成部１２０は、選択されたボタンの種類及び番組識別情報を端末から受信すると、受信した情報に対応する入力画面データを生成し（ステップＳ７３）、生成した入力画面データを端末に送信する（ステップＳ７４）。この入力画面データには、番組識別情報、及び放送スケジュールの識別情報が対応付けられている。
【００３５】
担当者の端末は、情報処理装置１００の表示画面生成部１２０から入力画面データを受信すると、受信したデータに従って入力画面を表示する。そして担当者は、入力画面に従って詳細情報を入力する（ステップＳ７５）。詳細情報の入力が完了すると、端末は、入力した詳細情報を、番組識別情報、及び放送スケジュールの識別情報に対応付けて情報処理装置１００に送信する（ステップＳ８０）。
【００３６】
情報処理装置１００の詳細情報登録部１３０は、担当者の端末から詳細情報、番組識別情報、及び放送スケジュールの識別情報が送信されてくると、受信した詳細情報を、ステップＳ５０で読み出した通常放送スケジュール情報及び変更時放送スケジュール情報のうち、受信した放送スケジュールの識別情報に対応する放送スケジュール情報に対応付けて、放送スケジュール記憶部１１０に記憶させる（ステップＳ９０）。さらに詳細情報登録部１３０は、受信した詳細情報に対応する番組が、他の放送スケジュールにも含まれていた場合、当該他の放送スケジュールにおけるその番組に関しても、その詳細情報を登録する（ステップＳ１００）。
【００３７】
以上、本実施形態によっても、第１の実施形態と同様の効果を得ることができる。また、表示画面生成部１２０は、詳細情報を入力するための入力画面データを生成して、担当者の端末に表示させる。従って、担当者が詳細情報を入力するときの負荷が少なくなる。また、入力画面データは、番組スケジュールの識別情報及び番組に対応している。従って、番組スケジュールの識別情報及び番組の組み合わせを用いることで、複数の部署で入力される情報を、さらに正確に統合することができる。
【００３８】
また、詳細情報登録部１３０は、受信した詳細情報に対応する番組が、他の放送スケジュールにも含まれていた場合、当該他の放送スケジュールにおけるその番組に関しても、その詳細情報を登録する。従って、詳細情報を登録すべき担当者の負荷が小さくなる。
【００３９】
（第３の実施形態）
本実施形態に係る情報処理装置１００は、以下の機能を有する点を除いて、第１又は第２の実施形態に係る情報処理装置１００と同様の構成である。
【００４０】
図９は、本実施形態に係る情報処理装置１００の詳細情報登録部１３０が有する機能を説明するための図である。放送スケジュールを変更する場合、通常放送スケジュールは、
あるタイミングで、変更時放送スケジュールに遷移する。また変更時放送スケジュールは、あるタイミングで通常放送スケジュールに戻る。本実施形態において、担当者は、表示画面生成部１２０が生成した画面データに従って表示された画面上におけるカーソルの移動情報２０８に基づいて、通常放送スケジュールから変更時放送スケジュールへ遷移するタイミング、及び変更時放送スケジュールから通常放送スケジュールに戻るタイミングそれぞれを登録することができる。
【００４１】
詳細には、担当者は、マウスでクリックしながらカーソルを移動させる。この移動の起点が、遷移元のスケジュールを示しており、この移動の終点が、遷移先のスケジュールを示している。そしてカーソルの軌跡の位置が、遷移タイミング（時刻）を示している。そして、遷移元のスケジュールを示す情報、遷移先のスケジュールを示す情報、及び時刻の組み合わせは、端末から、情報処理装置１００の詳細情報登録部１３０に送信される。詳細情報登録部１３０は、受信した情報を放送スケジュール記憶部１１０に登録する。
【００４２】
本実施形態によっても、第１又は第２の実施形態と同様の効果を得ることができる。また、担当者は、通常放送スケジュールから変更時放送スケジュールへ遷移するタイミング、及び変更時放送スケジュールから通常放送スケジュールに戻るタイミングを容易に登録することができる。
【００４３】
以上、図面を参照して本発明の実施形態について述べたが、これらは本発明の例示であり、上記以外の様々な構成を採用することもできる。
【００４４】
なお、上記した実施形態によれば、以下の発明が開示されている。
（付記１）
第１番組が予定通りに放送されたときの放送スケジュールを示す通常放送スケジュール情報を記憶すると共に、前記第１番組の放送時間帯が変更になった場合の放送スケジュールを示す変更時放送スケジュール情報を記憶する放送スケジュール記憶手段と、
前記通常放送スケジュール情報に基づいて前記通常放送スケジュールをディスプレイに表示させると共に、前記変更時放送スケジュール情報に基づいて前記変更時放送スケジュールを前記ディスプレイに表示させる表示画面生成手段と、
を備え、
前記通常放送スケジュール及び前記変更時放送スケジュールは、いずれも、当該放送スケジュールに含まれる番組別に、複数の入力されるべき詳細情報を有しており、
複数の担当者から入力された前記詳細情報を受信し、前記放送スケジュール記憶手段に記憶させる詳細情報登録手段をさらに備える情報処理装置。
（付記２）
前記通常放送スケジュール情報及び前記変更時放送スケジュール情報は、いずれも、番組別に、入力すべき前記詳細情報の有無を担当者別に示す入力要否情報を含んでおり、
前記表示画面生成手段は、前記通常放送スケジュール及び前記変更時放送スケジュールそれぞれにおいて、前記入力要否情報を認識可能な形態で表示させる情報処理装置。
（付記３）
付記２に記載の情報処理装置において、
前記表示画面生成手段は、
前記入力要否情報を選択可能な状態で表示し、
前記入力要否情報が選択されたときに、前記入力すべき詳細情報の入力画面を表示させる情報処理装置。
（付記４）
付記１〜３のいずれか一つに記載の情報処理装置において、
前記通常放送スケジュール及び前記変更時放送スケジュールは、同一の番組を共通で含んでおり、
前記通常放送スケジュール情報及び前記変更時放送スケジュール情報の一方において前記同一の番組の前記詳細情報が入力された場合に、他方にも、前記同一の番組の前記詳細情報を登録する詳細情報登録手段を備える情報処理装置。
（付記５）
付記１〜４のいずれか一つに記載の情報処理装置において、
前記ディスプレイには、カーソルが表示されており、
前記カーソルの移動情報に基づいて、前記通常放送スケジュールから前記変更時放送スケジュールへ遷移するタイミング、及び前記変更時放送スケジュールから前記通常放送スケジュールに戻るタイミングそれぞれを登録する詳細情報登録手段を備える情報処理装置。
（付記６）
コンピュータが、
第１番組が予定通りに放送されたときの放送スケジュールを示す通常放送スケジュール情報を記憶すると共に、前記第１番組の放送時間帯が変更になった場合の放送スケジュールを示す変更時放送スケジュール情報を記憶し、
前記通常放送スケジュール情報に基づいて通常放送スケジュールをディスプレイに表示させると共に、前記変更時放送スケジュール情報に基づいて変更時放送スケジュールを前記ディスプレイに表示させ、
前記通常放送スケジュール及び前記変更時放送スケジュールは、いずれも、当該放送スケジュールに含まれる番組別に、複数の入力されるべき詳細情報を有しており、
前記コンピュータは、さらに、複数の担当者が入力した前記詳細情報を受信して記憶する情報処理方法。
（付記７）
付記６に記載の情報処理方法において、
前記通常放送スケジュール情報及び前記変更時放送スケジュール情報は、いずれも、番組別に、入力すべき前記詳細情報の有無を担当者別に示す入力要否情報を含んでおり、
前記コンピュータは、前記ディスプレイに、前記通常放送スケジュール及び前記変更時放送スケジュールそれぞれにおいて、前記入力要否情報を認識可能な形態で表示させる情報処理方法。
（付記８）
付記７に記載の情報処理方法において、
前記コンピュータは、
前記ディスプレイに、前記入力要否情報を選択可能な状態で表示し、
前記入力要否情報が選択されたときに、前記ディスプレイに、前記入力すべき詳細情報の入力画面を表示させる情報処理方法。
（付記９）
付記６〜８のいずれか一つに記載の情報処理方法において、
前記通常放送スケジュール及び前記変更時放送スケジュールは、同一の番組を共通で含んでおり、
前記コンピュータは、前記通常放送スケジュール情報及び前記変更時放送スケジュール情報の一方において前記同一の番組の前記詳細情報が入力された場合に、他方にも、前記同一の番組の前記詳細情報を登録する情報処理方法。
（付記１０）
付記６〜９のいずれか一つに記載の情報処理方法において、
前記ディスプレイには、カーソルが表示されており、
前記コンピュータは、前記カーソルの移動情報に基づいて、前記通常放送スケジュールから前記変更時放送スケジュールへ遷移するタイミング、及び前記変更時放送スケジュールから前記通常放送スケジュールに戻るタイミングそれぞれを登録する情報処理方法。
（付記１１）
コンピュータに、
第１番組が予定通りに放送されたときの放送スケジュールを示す通常放送スケジュール情報を記憶すると共に、前記第１番組の放送時間帯が変更になった場合の放送スケジュールを示す変更時放送スケジュール情報を記憶する機能と、
前記通常放送スケジュール情報に基づいて通常放送スケジュールをディスプレイに表示させると共に、前記変更時放送スケジュール情報に基づいて変更時放送スケジュールを前記ディスプレイに表示させる機能と、
を実現させ、
前記通常放送スケジュール及び前記変更時放送スケジュールは、いずれも、当該放送スケジュールに含まれる番組別に、複数の入力されるべき詳細情報を有しており、
さらに前記コンピュータに、複数の担当者が入力した前記詳細情報を受信して記憶する機能を実現させるプログラム。
（付記１２）
付記１１に記載のプログラムにおいて、
前記通常放送スケジュール情報及び前記変更時放送スケジュール情報は、いずれも、番組別に、入力すべき前記詳細情報の有無を担当者別に示す入力要否情報を含んでおり、
前記コンピュータに、前記ディスプレイに、前記通常放送スケジュール及び前記変更時放送スケジュールそれぞれにおいて、前記入力要否情報を認識可能な形態で表示させる機能を実現させるプログラム。
（付記１３）
付記１２に記載のプログラムにおいて、
前記コンピュータに、
前記ディスプレイに、前記入力要否情報を選択可能な状態で表示させる機能と、
前記入力要否情報が選択されたときに、前記ディスプレイに、前記入力すべき詳細情報の入力画面を表示させる機能と、
を実現させるプログラム。
（付記１４）
付記１１〜１３のいずれか一つに記載のプログラムにおいて、
前記通常放送スケジュール及び前記変更時放送スケジュールは、同一の番組を共通で含んでおり、
前記コンピュータに、前記通常放送スケジュール情報及び前記変更時放送スケジュール情報の一方において前記同一の番組の前記詳細情報が入力された場合に、他方にも、前記同一の番組の前記詳細情報を登録する機能を実現させるプログラム。
（付記１５）
付記１１〜１４のいずれか一つに記載のプログラムにおいて、
前記ディスプレイには、カーソルが表示されており、
前記コンピュータに、前記カーソルの移動情報に基づいて、前記通常放送スケジュールから前記変更時放送スケジュールへ遷移するタイミング、及び前記変更時放送スケジュールから前記通常放送スケジュールに戻るタイミングそれぞれを登録する機能を実現させるプログラム。
【符号の説明】
【００４５】
１００ 情報処理装置
１１０ 放送スケジュール記憶部
１２０ 表示画面生成部
１３０ 詳細情報登録部
２０２ 選択ボタン
２０４ 選択ボタン
２０６ 選択ボタン
２０８ 移動情報
【図１】
0006004467.tif 000002
【図２】
0006004467.tif 000003
【図３】
0006004467.tif 000004
【図４】
0006004467.tif 000005
【図５】
0006004467.tif 000006
【図６】
0006004467.tif 000007
【図７】
0006004467.tif 000008
【図８】
0006004467.tif 000009
【図９】
0006004467.tif 000010